(57)【要約】【課題】格納状態の農作業機を、安定させることができるスタンド装置を提供することを目的とする。【解決手段】農作業機は、農作業機本体１のメインフレーム８にスタンドホルダ部２５を設け、右スタンド装置３と左スタンド装置４をスタンドホルダ部２５に取り付けた状態で格納状態となり、右側スタンド装置３と左側スタンド装置４の少なくとも一方のスタンド基部４１は前側が内側を向き、スタンド基部４１の後側は外側を向くようにスタンド装置４の立上り部４２に固着され、スタンドホルダ部２５に係合ピン４５と止めピン２６にて固定されている。 【選択図】図１
2013000050.tif 000002
【特許請求の範囲】
【請求項１】
農作業機の格納状態時に農作業機本体を支持するスタンド装置であって、前記農作業機本体のスタンドホルダ部に取り付けられ、前記農作業機の前後方向に位置する左右のスタンド装置の少なくとも一方のスタンド基部は前側が内側を向き、スタンド基部の後側は外側を向くようにスタンドホルダ部に固定されていることを特徴とする農作業機のスタンド装置。
【請求項２】
前記農作業機のスタンド装置の少なくとも一方のスタンド基部は前側が内側を向き、スタンド基部の後側は外側を向くようにスタンド装置の立上り部に固着されていることを特徴とする請求項１に記載の農作業機。
【請求項３】
前記農作業機のスタンド装置を取り付けるためのスタンドホルダ部がメインフレームに対してスタンドホルダ部の開口部が内側を向くように固着されていることを特徴とする請求項１に記載の農作業機。
【発明の詳細な説明】
【技術分野】
【０００１】
本発明は、走行機体であるトラクタの後部に装着され、トラクタの動力により作業を行うオフセット作業機の格納状態時にこのオフセット作業機本体を支持するスタンド装置に関するものである。
【先行技術文献】
【特許文献】
【０００２】
【特許文献１】特開2010−124796号公報  従来、例えばオフセット作業機の前後方向に向かって、左右のスタンド基部を平行に構成したものが知られている（例えば特許文献1参照）。
【発明の概要】
【発明が解決しようとする課題】
【０００３】
しかしながら、上記従来のスタンド装置では、スタンド基部が平行であるため、オフセット作業機のように格納状態に作業機を位置させ、スタンド装置を取り付けると重量のバランスが悪くなり、必要以上に左右のスタンド装置の間隔をあけなければならないという問題があった。
【０００４】
つまり、オフセット作業機のようにトラクタの左右いずれかの側方に位置させて作業を行う作業姿勢と、トラクタの後方位置に位置変更させて非作業状態である格納姿勢とに姿勢変更させる農作業機は、作業機の構造上重心を中央にすることが難しいため、スタンド装置で支持した場合バランスが悪くなるという問題があった。
【課題を解決するための手段】
【０００５】
請求項１記載の農作業機は、格納状態時に農作業機本体を支持するスタンド装置であって、前記農作業機本体のスタンドホルダ部に取り付けられ、前記農作業機の前後方向に位置する左右のスタンド装置の少なくとも一方のスタンド基部は前側が内側を向き、スタンド基部の後側は外側を向くようにスタンドホルダ部に固定されているものである。
【０００６】
請求項２に記載の農作業機は、スタンド装置の少なくとも一方のスタンド基部は前側が内側を向き、スタンド基部の後側は外側を向くようにスタンド装置の立上り部に固着されているものである。
【０００７】
請求項３に記載の農作業機は、スタンド装置を取り付けるためのスタンドホルダ部がメインフレームに対してスタンドホルダ部の開口部が内側を向くように固着されているものである。
【発明の効果】
【０００８】
請求項１に係る発明によれば、農作業機の前後方向に位置する左右のスタンド装置の少なくとも一方のスタンド基部の前側が内側に向いており、スタンド基部の後側が外側に向くようスタンドホルダ部に固定されていることにより重量バランスの悪い農作業機を安定した格納状態とすることができる。
【０００９】
請求項２に係る発明によれば、スタンド装置の少なくとも一方のスタンド基部の前側が内側に向いており、スタンド基部の後側が外側に向くようスタンド装置の立上り部に固着されていることにより重量バランスの悪い農作業機を安定した格納状態とすることができる。
【００１０】
請求項３に係る発明によれば、スタンド装置を取り付けるためのスタンドホルダ部がメインフレームに対してスタンドホルダ部の開口部が内側を向くように固着されていることにより、左右同じスタンド装置を使用しながら農作業機を安定した格納状態とすることができる。
【図面の簡単な説明】
【００１１】
【図１】本発明の第１の実施の形態に係る農作業機の格納状態の平面図である。
【図２】（a）左側スタンド装置の正面図、（b）同側面図、（c）スタンドホルダの側面図、（d）同平面図である。
【図３】本発明の第２の実施の形態の要部平面図である。
【図４】本発明の第３の実施の形態の要部平面図である。
【図５】本発明の第４の実施の形態の要部平面図である。
【発明を実施するための形態】
【００１２】
本発明の農作業機の一実施の形態を図面を参照して説明する。
【００１３】
図1において１は農作業機本体で、例えば走行車であるトラクタ（図示せず）に連結された状態で作業を行う農作業機で、この農作業機本体１を支持する右側スタンド装置３と左側スタンド装置４とにて構成されている。
【００１４】
農作業機本体１は、例えばトラクタに連結された状態でトラクタの走行により移動しながら畦塗作業をするものであり、この農作業機本体１は、図示しないトラクタの後部の昇降可能な３点リンク部（作業機昇降支持装置）に連結された機枠２を備えている。
【００１５】
そして、機枠２は、前部に走行車連結部であるトラクタ連結部２１を有し、このトラクタ連結部２１がトラクタの後部の３点リンク部に連結されている。なお、機枠２のトラクタ連結部２１は、トップピン２３と、ロワピン２２とにて構成されている。
【００１６】
また、機枠２には、入力軸１０側からの動力で回転して畦に土を盛り上げる盛土手段であるロータリ部５およびこのロータリ部５の後方位置で入力軸１０側からの動力で回転して土を締め固める畦形成手段であるディスク部６がそれぞれ回転可能に設けられている。さらに、ディスク部６の左側方には接地輪７が設けられている。
【００１７】
また一方、機枠２の前部の左右両側には、右側スタンド装置３と左側スタンド装置４を取り付けるためのスタンドホルダ部２５が取り付けられている。
【００１８】
スタンドホルダ部２５は、図１及び図２に示すように、前面はホルダ開口部５５を形成しており、前面及び上下面が開口面となっている断面コ字状で上下方向にやや長手状のものであり、このスタンドホルダ部２５は互いに離間対向した左右一対の側板部５０を有し、これら左右一対の側板部５０の後端相互が後板部５１にて一体に連結されている。なお、後板部５１の前面部にて、ホルダ側当接部であるホルダ側当接面部５２が構成されている。
【００１９】
また、側板部５０の上端には上方に向かって凹状のホルダ側係合部であるホルダ側係合凹み部５３が設けられている。さらに側板部５０の下端近傍には、左右方向に貫通した円形のホルダ側穴部５４が形成されている。
【００２０】
一方、左右一対のスタンドホルダ部２５に対して着脱可能な右側スタンド装置３と左側スタンド装置４は、図１及び図２に示すように、前後方向に長手状のスタンド基部３１・４１を有し、このスタンド基部３１・４１の前後端部にはキャスタ４３が装着されている。
【００２１】
そして、右側スタンド装置３のスタンド基部３１は前後方向にほぼ真直ぐ向かって伸びているのに対し、左側スタンド装置４のスタンド基部４１の前側が内側に向いており、スタンド基部４１の後側が外側に向かっている。すなわち、平面視で左側スタンド装置４のスタンド基部４１は、後方に向かって開いた状態で立上り部４２に固着されている。
【００２２】
また、スタンド基部３１・４１の中央よりやや先端側からは、ホルダ部２５の内側に嵌合する形状である例えば略四角筒状の立上り部３２・４２が前上方に向かって傾斜状に突出している。この場合、右側スタンド装置３の立上り部３２と左側スタンド装置４の立上り部４２は同一部品にて構成されているので代表して立上り部４２で説明する。
【００２３】
そして、立上り部４２の上端側の後面部にて、ホルダ側当接面部５２と面状に当接するスタンド側当接部であるスタンド側当接面部４６が構成されている。
【００２４】
また、立上り部４２の上側側面部にはホルダ側係合凹み部５３と係脱自在に係合するスタンド側係合部である係合ピン４５が突出状に設けられている。この係合ピン４５は、例えば左右方向に軸方向を有する１本の断面円形のピンにて構成され、その軸方向両端部が立上り部４２の側面４８より側方に突出している。
【００２５】
さらに、立上り部４２の係合ピン４５の下部には左右方向に貫通した円形のスタンド側穴部４７が形成されている。そして、スタンド側穴部４７とホルダ側穴部５４とは略同じ大きさの孔であり、図２に示すように互いに一致して連通したホルダ側穴部５４及びスタンド側穴部４７に着脱可能な挿入体である止めピン２６が挿入され、この挿入された止めピン２６により右側スタンド装置３と左側スタンド装置４がスタンドホルダ部２５に対して固定される。
【００２６】
なお、農作業機本体１を使用して畦塗り作業をする際には、右側スタンド装置３と左側スタンド装置４をスタンドホルダ部２５から取り外す必要がある。
【００２７】
次に、上記農作業機本体１による畦塗り作業終了後、上記右側スタンド装置３と左側スタンド装置４をスタンドホルダ部２５に取り付ける場合について説明する。なお、取り付け方法は左右のスタンド装置共に同じであるので、代表して左側スタンド装置４にて説明する。
【００２８】
スタンド装置４を農作業機本体１側のスタンドホルダ部２５に取り付ける際には、トラクタの後部の３点リンク部を作動させて農作業機本体１を所望位置まで持ち上げた状態で、ホルダ側係合凹み部５３と係合ピン４５との係合によりホルダ側穴部５４とスタンド側穴部４７とを互いに一致させた後、この互いに一致したホルダ側穴部５４とスタンド側穴部４７に対して止めピン２６を側方から挿入すればよい。
【００２９】
すなわち、スタンド装置４を農作業機本体１側のスタンドホルダ部２５に取り付ける場合、トラクタの３点リンク部で農作業機本体１を所望の位置まで持ち上げた状態で、スタンド装置４の立上り部４２の上端をスタンドホルダ部２５の内側に挿入し、スタンド側係合ピン４５をホルダ側係合凹み部５３に上方から引っ掛けるようにしてホルダ側係合凹み部５３と係合ピン４５とを互いに係合させると、ホルダ側当接面部５２とスタンド側当接面部４６が略面状に当接することでホルダ側穴部５４とスタンド側穴部４７が近接する。
【００３０】
その状態で、スタンド装置４を係合ピン４５を回動支点として僅かに後方に回動させることでホルダ側穴部５４とスタンド側穴部４７が一致し止めピン２６を挿入しスタンド装置４を固定する
【００３１】
こうして、スタンド装置４をスタンドホルダ部２５に取り付けてから、トラクタの３点リンク部を作動させて農作業機本体１を所定位置まで下げ、農作業機本体１とトラクタとの連結を解除する。
【００３２】
なお、スタンド装置４をスタンドホルダ部２５から取り外す際には、トラクタの後部の３点リンク部を作動させて農作業機本体１を所望位置まで持ち上げた状態で止めピン２６を抜いた後、スタンド装置４を持ち上げるようにしてホルダ係合凹み部５３と係合ピン４５との係合を解除すればよい。
【００３３】
次に、畦塗り機の前進作業姿勢について図１を基に説明する。
【００３４】
図１の格納状態から前進作業状態にするためには、農作業機本体１を先に説明したように所望の高さまで持ち上げる。次にスタンドホルダ部２５からスタンド装置４を取り外す。そして、第１ロック用カム１４を時計回りの方向に回動させ第２ロック用ピン１３と第１ロック用カム１４の固定を解除する。次にロータリ部５やディスク部６等で構成される作業部９を右方向（反時計回りの方向）に回動させ、第１ロック用カム１４と第１ロック用ピン１２を固定状態にする。
【００３５】
次に、畦塗り機のバック作業姿勢について図１を基に説明する。
【００３６】
図１の格納状態からバック作業状態にするためには、農作業機本体１を先に説明したように所望の高さまで持ち上げる。次にスタンドホルダ部２５からスタンド装置４を取り外す。そして、第２ロック用カム１９を時計回りの方向に回動させ第３ロック用ピン１８と第２ロック用カム１９の固定を解除する。次にロータリ部５やディスク部６等で構成される作業部９を時計回りの方向に回動させ、第２ロック用カム１９と第４ロック用ピン２０を固定状態にする。
【００３７】
なお、上記の説明は格納場所においてある農作業機本体１を格納状態から作業状態に移動させる場合の説明であり、通常作業中に前進作業状態から非作業状態（格納状態）へ移動させる場合や非作業状態（格納状態）からバック作業状態に移動させる場合等はいちいち農作業機本体１を所望の高さまで持ち上げ、スタンド装置４を着脱する必要はない。
【００３８】
また、実施例２として、図３に示すようにスタンド基部６１の前側が内側に向いており、スタンド基部６１の後側が外側に向くスタンド基部６１を設けたスタンド装置６０を第１の実施例とは反対側、つまり右側に設けても同様の効果を奏することができる。
【００３９】
そして、実施例３として、図４に示す様にスタンド基部４１・６１の前側が内側に向いており、スタンド基部４１・６１の後側が外側に向くスタンド基部４１・６１を設けたスタンド装置４・６０を左右両側に設けることにより、より安定した格納状態とすることが可能になる。
【００４０】
また、実施例４として、図５に示すように左側のスタンドホルダ部２５のホルダ開口部５５が内側を向くように、ホルダ取り付け部材７０をスタンドホルダ部２５とメインフレーム8の間に設けることによって、実施例１の右側スタンド装置３を用いても、スタンド基部３１の前側が内側に向き、スタンド基部３１の後側が外側に向くようにスタンドホルダ２５に固定することが可能となる。
【００４１】
実施例４の場合、左右のスタンド装置３を共通なものとすることができ、左右のスタンド装置３を付け間違える恐れもなくなり、コストダウンにもなる。
【００４２】
なお、上記実施の形態の他に、右側スタンド装置３と左側スタンド装置４を間違えて取り付けできないよう、左右のホルダ側穴部５４とスタンド側穴部４７の位置を変える、スタンド装置３．４の立上り部３２・４２に突起を設ける等のポカよけを設けても良い。
【００４３】
また、農作業機本体１は畦塗作業をするものには限定されず、例えば図示しないが、溝掘機や草刈機のようにオフセット作業を行うものであればよい。
【符号の説明】
【００４４】
１      農作業機本体
３      右側スタンド装置
４      左側スタンド装置
２５    ホルダ部
２６    止めピン
３１、４１、６１  スタンド基部
３２、４２  立上り部
【図１】
2013000050.tif 000003
【図２】
2013000050.tif 000004
【図３】
2013000050.tif 000005
【図４】
2013000050.tif 000006
【図５】
2013000050.tif 000007